(57)【要約】【課題】前後二本のリンクを必要としない簡易かつ前後方向の厚さが小さい構成として、机と椅子との間に横方向の通路の幅を充分に広く確保するとともに、製造費用を安価に抑えることにある。【解決手段】椅子５の座９を着座位置と起立位置との間で揺動させる椅子用座起立機構８において、座９の前後方向中間部を、椅子５の脚４によって所定位置に支持されたシャフト１５に対しその座面に沿って座９の前後方向へ直線移動するように案内する直線案内部材１４と、座９の後部のローラ１７を、シャフト１５よりも後ろ側の位置で脚４に対しそのシャフト１５側に凹側が向いた円弧に沿って上下方向へ移動するように案内する案内溝１２ａと、を具えてなる、椅子用座起立機構である。【選択図】図１
2007014401.tif 000002
【特許請求の範囲】
【請求項１】
椅子の座を着座位置と起立位置との間で揺動させる椅子用座起立機構において、
前記座の前後方向中間部を、前記椅子の脚によって所定位置に支持された支持軸に対しその座面に沿って前記座の前後方向へ直線移動するように案内する直線移動案内部と、
前記座の後部を、前記支持軸よりも後ろ側の位置で前記脚に対しその支持軸側に凹側が向いた曲線に沿って上下方向へ移動するように案内する曲線移動案内部と、
を具えてなる、椅子用座起立機構。
【請求項２】
前記曲線移動案内部は、前記椅子の脚に固定された円弧状の案内溝によって前記座の後部を案内することを特徴とする、請求項１記載の椅子用座起立機構。
【請求項３】
前記曲線移動案内部は、前記椅子の脚に一端部を連結されるとともに他端部を前記座の後部に連結された一つのリンクによって前記座の後部を案内することを特徴とする、請求項１記載の椅子用座起立機構。
【請求項４】
前記着座位置に位置する前記座を後方へ附勢する弾性部材を具えることを特徴とする、請求項１から３までの何れか記載の椅子用座起立機構。
【発明の詳細な説明】
【技術分野】
【０００１】
この発明は、椅子の座を着座位置と起立位置との間で揺動させる椅子用座起立機構に関し、特には、使用位置と起立位置との間での座の揺動時に一連の動きで座と机との隙間を従来よりも大きく確保し得る椅子用座起立機構に関するものである。
【背景技術】
【０００２】
例えば大学や予備校の教室等では、机を前後に多数列並べる必要上、前後の机の間隔が比較的狭くなる。このため、二列目以降の席の机の脚の前側にその脚と一体的に前の列の席の椅子を設けて、その椅子の座を略水平な着座位置と略垂直な起立位置との間で揺動可能に支持することで、人が着座していないときは座を起立位置に上げて机と椅子との間に横方向の通路を確保する場合がある。
【０００３】
このような椅子用の座起立機構としては従来、例えば特許文献１に記載されたものが知られている。この椅子用座起立機構は、前後二本のリンクの上端部をそれぞれ座用ブラケットに揺動可能に連結するとともに、それらのリンクの下端部をそれぞれ、後ろの席の机の脚の前側に固定した脚用ブラケットに揺動可能に連結することで、それらのリンクにより座用ブラケットを前後に概略平行移動可能に支持し、さらにその座用ブラケットに一本の支持軸により、座を略水平な着座位置と略垂直な起立位置との間で揺動可能に支持しているものである。
【発明の開示】
【発明が解決しようとする課題】
【０００４】
しかしながらかかる従来の椅子用座起立機構では、二本のリンクが前後に位置するため座用ブラケットを後退させて座を起立位置に上げた時に椅子の前後方向の厚さが大きくなり、机と椅子との間の横方向の通路の幅を充分に広く確保できないという問題があった。
【０００５】
また、座用ブラケットに対する座の揺動に加えて、それと別に二本のリンクの揺動を行わせる機構であるため、構造が複雑になって製造費用が嵩むという問題もあった。
【課題を解決するための手段】
【０００６】
この発明は、上記課題を有利に解決することを目的とするものであり、この発明の椅子用座起立機構は、椅子の座を着座位置と起立位置との間で揺動させる椅子用座起立機構において、前記座の前後方向中間部を、前記椅子の脚によって所定位置に支持された支持軸に対しその座面に沿って前記座の前後方向へ直線移動するように案内する直線移動案内部と、前記座の後部を、前記支持軸よりも後ろ側の位置で前記脚に対しその支持軸側に凹側が向いた曲線に沿って上下方向へ移動するように案内する曲線移動案内部と、を具えてなるものである。
【発明の効果】
【０００７】
かかる椅子用座起立機構にあっては、椅子の座を着座位置から起立位置へ揺動させる際に、着座位置で略水平状態にある座を後方へ移動させると、座の後部が曲線移動案内部によって支持軸よりも後ろ側の位置で、例えば後ろの席の机の脚等で構成される椅子の脚に対しその支持軸側に凹側が向いた曲線に沿って下方へ移動するが、座の前後方向中間部は支持軸で支持されつつその支持軸に対し座面に沿って座の後方（当初は椅子の後方だが座の前部が持ち上がるに連れて次第に下方へ向かう方向）へ直線移動し、これにより座は支持軸周りに揺動しながら後退しつつ後部を下げて起立位置へ向かう。
【０００８】
一方、椅子の座を起立位置から着座位置へ揺動させる際には、起立位置で略垂直状態にある座の前端部を前方へ移動させると、上記と逆に座の後部が曲線移動案内部によって支持軸よりも後ろ側の位置で椅子の脚に対し、その支持軸側に凹側が向いた曲線に沿って上方へ移動するが、座の前後方向中間部は支持軸で支持されつつその支持軸に対し座面に沿って座の前方（当初は上方だが座の前部が下がるに連れて次第に椅子の前方へ向かう方向）へ直線移動し、これにより座は支持軸周りに揺動しながら前進しつつ後部を上げて着座位置へ向かう。
【０００９】
従ってこの発明の椅子用座起立機構によれば、前後二本のリンクを必要としないため前後方向の厚さが小さい構成で、一連の動きの中で座を円滑に後退させながら起立位置に揺動させて、机と椅子との間に横方向の通路の幅を充分に広く確保することができる。
【００１０】
しかもこの発明の椅子用座起立機構によれば、前後二本のリンクを必要としないため簡易な構成で、一連の動きの中で座を円滑に後退させながら起立位置に揺動させるので、構造が簡単になって製造費用を安価に抑えることができる。
【００１１】
なお、この発明の椅子用座起立機構においては、前記曲線移動案内部は、前記椅子の脚に固定された円弧状の案内溝によって前記座の後部を案内するものでも良く、このようにすれば、別部材のリンクを用いず摺動構造だけで座起立機構を構成するので、製造費用をより安価に抑えることができる。
【００１２】
また、この発明の椅子用座起立機構においては、前記椅子の脚に一端部を連結されるとともに他端部を前記座の後部に連結された一つのリンクによって前記座の後部を案内するものでも良く、このようにすれば、座の後部の移動には摺動構造より摩耗の少ないリンクを用いるので、故障の可能性を少なくしてメンテナンスの手間を省くことができる。
【００１３】
さらに、この発明の椅子用座起立機構においては、前記着座位置に位置する前記座を後方へ附勢する弾性部材を具えていても良く、このようにすれば、着座していた人が立ち上がると、当初はその弾性部材によって座が後方へ附勢されて揺動を開始し、その後座の後部の重みで起立位置まで後退しつつ跳ね上がるため、人が着座していないときは座を自動的に起立位置に位置させておくことができるので好ましい。
【発明を実施するための最良の形態】
【００１４】
以下に、この発明の実施の形態を実施例によって、図面に基づき詳細に説明する。ここに、図１は、この発明の椅子用座起立機構の一実施例を具える椅子が設けられた二列目以降用の机を最前列用の通常の机とともに示す側面図、図２は、その実施例の椅子用座起立機構を具える椅子が設けられた机を示す正面図、図３は、上記実施例の椅子用座起立機構の椅子の前方から見て左側の部分を上方から見た状態で示す透視図、図４（ａ）〜（ｅ）は、上記実施例の椅子用座起立機構の座側の構造を示す座の内側から見た側面図並びにその側面図中のＡ−Ａ線，Ｂ−Ｂ線，Ｃ−Ｃ線およびＤ−Ｄ線にそれぞれ沿う断面図、図５（ａ）〜（ｃ）は、上記実施例の椅子用座起立機構の脚側の内側ブラケットの構造を示す座の内側から見た側面図並びにその側面図中のＥ−Ｅ線およびＦ−Ｆ線にそれぞれ沿う断面図であり、図中符号１は机、５は上記実施例の椅子用座起立機構を具える椅子をそれぞれ示す。
【００１５】
上記最前列用および二列目以降用の机１は何れも、図１および図２に示すように、下側に棚受け２を設けられた天板３と、その天板３を支持するパイプ状の二本の脚４とを具えており、上記実施例の椅子用座起立機構を具える椅子５は、二列目以降用の机１の左右の脚４の前側にその脚４と一体的に設けられている。
【００１６】
一方、上記椅子５は、机１の左右の脚４の前側にそれぞれ溶接固定されたブラケット６によって支持された背７と、同じく机１の左右の脚４の前側に固設された上記実施例の椅子用座起立機構８と、その椅子用座起立機構８によって図１中実線で示す略水平な着座位置と同図中仮想線で示す略垂直な起立位置との間で揺動可能に支持された座９とを具えている。
【００１７】
この実施例の椅子用座起立機構８は、机１の左右の脚４の前側にそれぞれ溶接固定された略矩形の厚板状の中間ブラケット１０と、その中間ブラケット１０を左右から挟み込むとともに互いにボルトで結合される外側ブラケット１１および内側ブラケット１２とを有している。また、この実施例の椅子用座起立機構８は、座９の左右側部の裏面にそれぞれネジで固定される断面Ｌ字状の座アーム１３を有している。
【００１８】
ここで、各座アーム１３には、座９の前後方向に延在するように長穴１３ａが形成されるとともに、その長穴１３ａ内に嵌まり合う低摩擦のプラスチック製の直線案内部材１４が固定されており、その直線案内部材１４は、座アーム１３の長穴１３ａより一回り小さい長穴１４ａを持ち、その長穴１４ａ内には支持軸としてのパイプ状のシャフト１５が、座９の左右方向に貫通して座９の前後方向に移動自在に嵌まり合っている。
【００１９】
一方、各中間ブラケット１０には、図１，図３および図５（ａ）に示すように、各々断面コ字状のシャフト受け１０ａとストッパ１０ｂとが内側ブラケット１２の開口部を貫通するように内向きに突設されている。そして上記シャフト１５の両端部は、机１の左右の脚４に固定された左右の中間ブラケット１０のシャフト受け１０ａに固定支持されており、上記直線案内部材１４と、この固定支持されたシャフト１５とが、この実施例では直線移動案内部を構成している。
【００２０】
各座アーム１３にはまた、図３に示すように、長穴１３ａより後方にピン１６を外向きに突設されており、これらのピン１６は、座９の側部から左右方向に突出するとともに、各々ローラ１７を回転自在に支持している。
【００２１】
一方、各内側ブラケット１２には、図１および図５に示すように、シャフト受け１０ａひいてはシャフト１５よりも後ろ側の位置で脚４に対しそのシャフト１５側に凹側が向いた曲線状、例えばここでは円弧状に上下方向へ延在する断面コ字状の案内溝１２ａと、その案内溝１２ａの半径方向内側で案内溝１２ａの上端部に隣接するスプリング支持突起１２ｂと、そのスプリング支持突起１２ｂと案内溝１２ａとの間に位置するスプリング止め突起１２ｃとを形成されており、案内溝１２ａの下端部には合成ゴム製のストッパ１８が設けられている。
【００２２】
各座アーム１３のピン１６に支持されたローラ１７は、各内側ブラケット１２の案内溝１２ａ内にその延在方向へ移動自在に嵌まり合っており、これらローラ１７と、案内溝１２ａとが、この実施例では曲線移動案内部を構成している。
【００２３】
さらに、各内側ブラケット１２のスプリング支持突起１２ｂには、弾性部材としてのコイルスプリング１９がその一端部１９ａを各内側ブラケット１２に掛止されて装着されており、このコイルスプリング１９の他端部１９ｂは、図１に示すように、座９が略水平な着座位置にあるときは座アーム１３のピン１６に掛合して持ち上げられるとともにピン１６を弾性力で常時下方へ附勢しており、座９がその着座位置から略垂直な起立位置へ向かうようにピン１６が案内溝１２ａ内を有る程度下降すると、コイルスプリング１９の他端部１９ｂは、スプリング止め突起１２ｃに当たって止まり、その後は再度座９が略水平な着座位置に向かうまでスプリング止め突起１２ｃ上で待機する。
【００２４】
図６は、上記実施例の椅子用座起立機構８に設ける弾性部材の他の例としての板バネを示す、図１と同様の位置での側面図、図７は、その板バネの配置を示す、図３と同様の位置での透視図、そして図８（ａ）〜（ｅ）は、上記板バネの配置を示す、図４（ａ）〜（ｅ）と同様の位置での側面図および断面図であり、図中符号２０は板バネを示す。
【００２５】
この実施例における板バネ２０は、略Ｌ字状の部分と略Ｕ字状の部分とを組合せた形状をなしており、そのＬ字状の脚部を各座アーム１３に固定されるとともに、図８（ａ）に示す自由状態から、図６に示すように、そのＵ字状の先端部で直線案内部材１４の長穴１４ａ内のシャフト１５に当接して弾性変形し、シャフト１５を常時前方へ押圧することで、着座位置にある座９を相対的に常時後方へ附勢する。
【００２６】
図９は、この実施例の椅子用座起立機構８の作動による座９の回動状態を示す側面図であり、この実施例の椅子用座起立機構８にあっては、椅子５の座９を、図９では左側に示す着座位置から同図では右側に示す起立位置へ揺動させる際に、着座位置でストッパ１０ｂにピン１６のローラ１７が当接して略水平状態にある座９を後方へ移動させると、座９の後部がローラ１７と案内溝１２ａとによってシャフト１５よりも後ろ側の位置で、後ろの席の机１の脚４で構成される椅子５の脚に対し前方に位置するそのシャフト１５側に凹側が向いた円弧に沿って下方へ移動するが、座９の前後方向中間部に位置する直線案内部材１４はシャフト１５で支持されつつそのシャフト１５に対し座面に沿って座の後方（当初は椅子５の後方だが座９の前部が持ち上がるに連れて次第に下方へ向かう方向）へ直線移動し、これにより座９は、図９では中央部に示すように、シャフト１５周りに揺動しながら後退しつつ後部を下げて起立位置へ向かい、しかして、図１にも示す如く、座９の前端の軌跡Ｐ１は、シャフト１５に対し対し座９が座面に沿って後方へ移動しない場合の軌跡Ｐ２よりも大幅に後方寄りとなって、着座する人が中腰になる中間状態で前の机１との間に充分大きい隙間をもたらす。
【００２７】
一方、椅子５の座９を、図９では右側に示す起立位置から同図では左側に示す着座位置へ揺動させる際には、起立位置でストッパ１８にピン１６のローラ１７が当接して略垂直状態にある座９の前端部を前方へ移動させると、上記と逆に座９の後部がローラ１７と案内溝１２ａとによってシャフト１５よりも後ろ側の位置で後ろの席の机１の脚４で構成される椅子５の脚に対し前方に位置するそのシャフト１５側に凹側が向いた円弧に沿って上方へ移動するが、座９の前後方向中間部に位置する直線案内部材１４はシャフト１５で支持されつつそのシャフト１５に対し座面に沿って座の前方（当初は上方だが座９の前部が下がるに連れて次第に椅子５の前方へ向かう方向）へ直線移動し、これにより座９は、シャフト１５周りに揺動しながら前進しつつ後部を上げて着座位置へ向かう。
【００２８】
従ってこの実施例の椅子用座起立機構８によれば、前後二本のリンクを必要としないため前後方向の厚さが小さい構成で、一連の動きの中で座９を円滑に後退させながら起立位置に揺動させて、机１と椅子５との間に横方向の通路の幅を充分に広く確保することができる。
【００２９】
しかもこの実施例の椅子用座起立機構８によれば、前後二本のリンクを必要としないため簡易な構成で、一連の動きの中で座９を円滑に後退させながら起立位置に揺動させるので、構造が簡単になって製造費用を安価に抑えることができる。
【００３０】
さらに、この実施例の椅子用座起立機構８によれば、曲線移動案内部は、椅子５の脚を兼ねる後ろの席の机１の脚４に固定された円弧状の案内溝１２ａによって座９の後部を案内するものであることから、別部材のリンクを用いず摺動構造だけで座起立機構を構成するので、製造費用をより安価に抑えることができる。
【００３１】
さらに、この実施例の椅子用座起立機構８によれば、着座位置に位置する座９を後方へ附勢する、弾性部材としてのコイルスプリング１９または板バネ２０を具えていることから、着座していた人が立ち上がると、当初はそのコイルスプリング１９または板バネ２０によって座９が後方へ附勢されて揺動を開始し、その後は座９の後部の重みで起立位置まで後退しつつ跳ね上がるため、人が着座していないときは座９を自動的に起立位置に位置させておくことができる。
【００３２】
図１０（ａ）および（ｂ）は、この発明の椅子用座起立機構の他の一実施例を具える椅子が設けられた二列目以降用の机を最前列用の通常の机とともに示す正面図および側面図、図１１は、この実施例の椅子用座起立機構８の作動による座９の回動状態を示す側面図であり、この実施例の椅子用座起立機構８は、先の実施例における各内側ブラケット１２に、案内溝１２ａを設ける代わりに、リンク２１の一端部を、例えばその案内溝１２ａの円弧の中心の位置を通って回動軸線が椅子５の左右方向へ延在するように回動自在に支持し、そのリンク２１の他端部を先の実施例における各座アーム１３のピン１６に、ローラ１７の代わりに回動自在に連結するとともに、各内側ブラケット１２にさらに、各々断面Ｌ字状をなし、そのピン１６と当接してそのピン１６の回動限位置を特定する上側ストッパ１２ｄおよび下側ストッパ１２ｅを設けたもので、リンク２１とピン１６とが、この実施例では曲線移動案内部を構成しており、他の点は構造的には先の実施例の椅子用座起立機構８と同一である。
【００３３】
この実施例の椅子用座起立機構８にあっては、椅子５の座９を、図１１では左側に示す着座位置から同図では右側に示す起立位置へ揺動させる際に、着座位置で上側ストッパ１２ｄにピン１６が当接して略水平状態にある座９を後方へ移動させると、座９の後部がリンク２１とピン１６とによってシャフト１５よりも後ろ側の位置で、後ろの席の机１の脚４で構成される椅子５の脚に対し前方に位置するそのシャフト１５側に凹側が向いた円弧に沿って下方へ移動するが、座９の前後方向中間部に位置する直線案内部材１４はシャフト１５で支持されつつそのシャフト１５に対し座面に沿って座の後方（当初は椅子５の後方だが座９の前部が持ち上がるに連れて次第に下方へ向かう方向）へ直線移動し、これにより座９は、図１１では中央部に示すように、シャフト１５周りに揺動しながら後退しつつ後部を下げて起立位置へ向かい、しかして、座９の前端の軌跡Ｐ１は、シャフト１５に対し対し座９が座面に沿って後方へ移動しない場合の軌跡Ｐ２よりも大幅に後方寄りとなって、着座する人が中腰になる中間状態で前の机１との間に充分大きい隙間をもたらす。
【００３４】
一方、椅子５の座９を、図１１では右側に示す起立位置から同図では左側に示す着座位置へ揺動させる際には、起立位置で下側ストッパ１２ｅにピン１６が当接して略垂直状態にある座９の前端部を前方へ移動させると、上記と逆に座９の後部がリンク２１とピン１６とによってシャフト１５よりも後ろ側の位置で、後ろの席の机１の脚４で構成される椅子５の脚に対し前方に位置するそのシャフト１５側に凹側が向いた円弧に沿って上方へ移動するが、座９の前後方向中間部に位置する直線案内部材１４はシャフト１５で支持されつつそのシャフト１５に対し座面に沿って座の前方（当初は上方だが座９の前部が下がるに連れて次第に椅子５の前方へ向かう方向）へ直線移動し、これにより座９は、シャフト１５周りに揺動しながら前進しつつ後部を上げて着座位置へ向かう。
【００３５】
従ってこの実施例の椅子用座起立機構８によっても、前後二本のリンクを必要としないため前後方向の厚さが小さい構成で、一連の動きの中で座９を円滑に後退させながら起立位置に揺動させて、机１と椅子５との間に横方向の通路の幅を充分に広く確保することができる。
【００３６】
しかもこの実施例の椅子用座起立機構８によれば、前後二本のリンクを必要としないため簡易な構成で、一連の動きの中で座９を円滑に後退させながら起立位置に揺動させるので、構造が簡単になって製造費用を安価に抑えることができる。
【００３７】
さらに、この実施例の椅子用座起立機構８によれば、曲線移動案内部は、椅子５の脚を兼ねる後ろの席の机１の脚４に一端部を連結されるとともに他端部を座アーム１３のピン１６を介して座９の後部に連結された一つのリンク２１によって座９の後部を案内するものであることから、座９の後部の移動に摺動構造より摩耗の少ないリンク２１を用いるので、故障の可能性を少なくしてメンテナンスの手間を省くことができる。
【００３８】
さらに、この実施例の椅子用座起立機構８によれば、図１０，１１では図示しないが、着座位置に位置する座９を後方へ附勢する、弾性部材としてのコイルスプリング１９または板バネ２０を具えていることから、着座していた人が立ち上がると、当初はそのコイルスプリング１９または板バネ２０によって座９が後方へ附勢されて揺動を開始し、その後は座９の後部の重みで起立位置まで後退しつつ跳ね上がるため、人が着座していないときは座９を自動的に起立位置に位置させておくことができる。
【００３９】
以上、図示例に基づき説明したが、この発明の椅子用座起立機構は上述の例に限定されるものでなく、特許請求の範囲の記載の範囲内で適宜変更し得るものであり、例えば、曲線移動案内部は、円弧状でなく例えば楕円や放物線の一部をなすものでも良く、また、直線移動案内部は、長穴でなく軸受をもつスライダを用いても良い。
【産業上の利用可能性】
【００４０】
かくしてこの発明の椅子用座起立機構によれば、前後二本のリンクを必要としないため前後方向の厚さが小さい構成で、一連の動きの中で座を円滑に後退させながら起立位置に揺動させて、机と椅子との間に横方向の通路の幅を充分に広く確保することができる。
【００４１】
しかもこの発明の椅子用座起立機構によれば、前後二本のリンクを必要としないため簡易な構成で、一連の動きの中で座を円滑に後退させながら起立位置に揺動させるので、構造が簡単になって製造費用を安価に抑えることができる。
【図面の簡単な説明】
【００４２】
【図１】この発明の椅子用座起立機構の一実施例を具える椅子が設けられた二列目以降用の机を最前列用の通常の机とともに示す側面図である。
【図２】上記実施例の椅子用座起立機構を具える椅子が設けられた机を示す正面図である。
【図３】上記実施例の椅子用座起立機構の椅子の前方から見て左側の部分を上方から見た状態で示す透視図である。
【図４】（ａ）〜（ｅ）は、上記実施例の椅子用座起立機構の座側の構造を示す座の内側から見た側面図並びにその側面図中のＡ−Ａ線，Ｂ−Ｂ線，Ｃ−Ｃ線およびＤ−Ｄ線にそれぞれ沿う断面図である。
【図５】（ａ）〜（ｃ）は、上記実施例の椅子用座起立機構の脚側の内側ブラケットの構造を示す座の内側から見た側面図並びにその側面図中のＥ−Ｅ線およびＦ−Ｆ線にそれぞれ沿う断面図である。
【図６】上記実施例の椅子用座起立機構に設ける弾性部材の他の例としての板バネを示す、図１と同様の位置での側面図である。
【図７】上記板バネの配置を示す、図３と同様の位置での透視図である。
【図８】図８（ａ）〜（ｅ）は、上記板バネの配置を示す、図４（ａ）〜（ｅ）と同様の位置での側面図および断面図である。
【図９】上記実施例の椅子用座起立機構の作動による座の回動状態を示す側面図である。
【図１０】（ａ）および（ｂ）は、この発明の椅子用座起立機構の他の一実施例を具える椅子が設けられた二列目以降用の机を最前列用の通常の机とともに示す正面図および側面図である。
【図１１】上記実施例の椅子用座起立機構の作動による座の回動状態を示す側面図である。
【符号の説明】
【００４３】
１  机
２  棚受け
３  天板
４  脚
５  椅子
６  ブラケット
７  背
８  椅子用座起立機構
９  座
１０  中間ブラケット
１０ａ  シャフト受け
１０ｂ  ストッパ
１１  外側ブラケット
１２  内側ブラケット
１２ａ  案内溝
１２ｂ  スプリング支持突起
１２ｃ  スプリング止め突起
１３  座アーム
１３ａ  長穴
１４  直線案内部材
１４ａ  長穴
１５  シャフト
１６  ピン
１７  ローラ
１８  ストッパ
１９  コイルスプリング
１９ａ  一端部
１９ｂ  他端部
２０  板バネ
２１  リンク
【図１】
2007014401.tif 000003
【図２】
2007014401.tif 000004
【図３】
2007014401.tif 000005
【図４】
2007014401.tif 000006
【図５】
2007014401.tif 000007
【図６】
2007014401.tif 000008
【図７】
2007014401.tif 000009
【図８】
2007014401.tif 000010
【図９】
2007014401.tif 000011
【図１０】
2007014401.tif 000012
【図１１】
2007014401.tif 000013